(57)【要約】      （修正有）【課題】エアガイドの外周部の曲がり損失などを低減し、送風効率の高い電動送風機及びそれを用いた電気掃除機を提供する。【解決手段】エアガイド６３が、略円盤状の土台部６４と、土台部６４を挟んで構成される複数の上面翼６５および複数の下面翼６６と、土台部６４の外周位置に上面翼６５と下面翼６６を繋ぐ外周翼６７とを有し、上面翼６５と下面翼６６と外周翼６７は略均一厚みの板状とし、隣り合う前記外周翼６７の一部が、回転軸向から見た投影面上で重なる構成としたことにより、上面流路７４から下面流路７５へスムーズに空気を流すことが可能となるため、曲がり損失を低減させ、送風効率を向上させることができる。【選択図】図２
2010255451.tif 000002
【特許請求の範囲】
【請求項１】
ローター部とステータ部とそれらを覆うブラケットによって構成される電動機と、前記電動機により回転駆動されるインペラと、このインペラの周囲に複数の流路を構成するエアガイドと、中央に吸気口を有し前記インペラ及び前記エアガイドを内包するファンケースとを備え、前記吸気口から流入した空気の少なくとも一部を前記電動機の前記ブラケット内に供給することにより、前記ローター部と前記ステータ部の冷却を行う構成において、前記エアガイドは、略円盤状の土台部と、前記土台部を挟んで構成される複数の上面翼および複数の下面翼と、前記土台部の外周位置に前記上面翼と前記下面翼を繋ぐ外周翼とを有し、前記上面翼と前記下面翼と前記外周翼は略均一厚みの板状とし、隣り合う前記外周翼の一部が、前記インペラの回転軸方向から見た投影面上で重なる構成とした電動送風機。
【請求項２】
エアガイドに設けられた上面翼と下面翼と外周翼の数を同数とした請求項１に記載の電動送風機。
【請求項３】
外周翼の下部側とエアガイドの土台部外周端とを繋ぐ繋ぎ部を有し、前記外周翼の上部側は上面翼に対して径方向にねじれる角度を有して前記上面翼と接続する請求項２に記載の電動送風機。
【請求項４】
前記外周翼は、前記エアガイド外周方向へ略放射状にスライドする外周翼と同数または外周翼より少ない数の側方スライド金型によって成型加工が可能な形状とし、前記エアガイドは、インペラ回転軸方向にスライドする上方スライド金型および下方スライド金型と前記インペラの略径方向にスライドする複数の側方スライド金型によって成型される構成において、前記エアガイドの前記土台部と前記繋ぎ部は、前記上方スライド金型によって成型され、前記上方スライド金型と前記側方スライド金型とのパーティングラインは、前記繋ぎ部下流の前記外周翼下部側に設けた請求項３に記載の電動送風機。
【請求項５】
外周翼の下部側面を成型する側方スライド金型面の表面粗さを他の面を成型する側方スライド金型面より粗くした請求項４に記載の電動送風機。
【請求項６】
請求項１〜５のいずれか１項に記載の電動送風機を有する電気掃除機。
【発明の詳細な説明】
【技術分野】
【０００１】
本発明は、電動送風機及び電気掃除機に関するものである。
【背景技術】
【０００２】
従来、この種の電動送風機としては、図９（ａ）〜（ｃ）に示すように、ブラケット１によって覆われた電動機２と、電動機２により回転駆動されるインペラ３と、インペラ３の周囲に、傾斜部４を有する略円盤状の土台部５と土台部５を挟んで設けられた上面翼６および下面翼７とで構成されたエアガイド８と、中央に吸気口９を有し、インペラ３およびエアガイド８を内包するファンケース１０とを有し、インペラ３から排出された空気が、エアガイド８の上面翼６によって設けられた上面流路１１、土台部５に設けられた略三角形状の連通口１２、下面翼７によって設けられた下面流路１３、ブラケット１に設けられた通気口１４の順に通って電動機２を冷却する構成とすると共に、ファンケース１０の外周側上面にフィレット部１５を設けることで、上面翼６によって設けられた上面流路１１から下面翼７によって設けられた下面流路１３への空気の流れをスムーズにし、送風性能を高めたものがある（例えば、特許文献１参照）。
【０００３】
また、図１０に示すように、エアガイド２１の土台部２２の外周部の下側に、傾斜通路２３を設け、上面翼２４によって設けられた上面通路２５から、下面翼２６によって設けられた下面通路２７への空気の流れをスムーズにし、送風性能を高めたものもある（例えば、特許文献２参照）。
【０００４】
さらに、図１１に示すように、エアガイド３１の土台部３２の外周端となだらかに接続する底面傾斜部３３と、ファンケース３４の底面傾斜部３３に相対する位置に上面傾斜部３５を設け、上面流路３６から下面流路３７へ螺旋状にスムーズに空気を流すことで、送風性能を高めたものもある（例えば、特許文献３参照）。
【０００５】
また、図１２に示すように、エアガイド４１の土台部４２の外周端となだらかに接続する底面傾斜部４３、４４を別体で設け、さらに上面翼４５に、底面傾斜部４３、４４と相対する上面傾斜部４６を設け、底面傾斜部４４と上面傾斜部４５が軸方向から見た投影面上で重なる構成とすることで、上面翼４５の枚数が増えても、上下方向のスライド金型により成型可能な形状としたものもある（例えば、特許文献４参照）。
【先行技術文献】
【特許文献】
【０００６】
【特許文献１】特開昭６１−２３８９８号公報
【特許文献２】特開平１０−６８３９７号公報
【特許文献３】実開昭５６−１６７８００号公報
【特許文献４】実開昭５７−６８１９９号公報
【発明の概要】
【発明が解決しようとする課題】
【０００７】
しかしながら、図９（ａ）〜（ｃ）に示す前記従来の構成では、エアガイド８の側面図である図１３で示すように、上面流路１１から通気口１２を通って下面流路１３に空気が流れる際に、空気の流れＡで示すように空気の流れが大きく変わることによって、連通口１２下流で空気の流れＢで示すような大きな渦流すなわち曲がり損失が生じるため、送風性能を低下させてしまうという課題を有していた。
【０００８】
また、図１０で示す前記従来の構成では、上面通路２５から傾斜通路２３へ空気が流れる流路の断面積が、上面通路２５の終端部２８で急激に増加することによって空気の流れＣ、Ｄで示すような大きな渦流すなわち拡大損失が生じるため、送風性能を低下させてしまうという課題を有していた。
【０００９】
さらに、図１１で示す前記従来の構成では、上面傾斜部３５より上部の空間は流路として使えないデッドスペースになってしまうため、上面流路３６の流路断面積を徐々に広げて流速を減速させることで静圧に変換するためには、エアガイド３１の外径を十分に大きくする必要があるため、電動送風機の小型化が困難であるという課題を有していた。
【００１０】
また、図１２で示す前記従来の構成では、土台部４２と底面傾斜部４３、４４が連続して傾斜させているため、図９のような曲がり損失が生じないが、上面傾斜部４６と上面翼４５とファンケース（図示せず）によって囲まれる空間４７および、底面傾斜部４３、４４の厚み部分がデッドスペースとなってしまうため、上面流路４８の流路断面積を徐々に広げて流速を減速させることで静圧に変換するためには、エアガイド４１の外径を十分に大きくする必要があるため、電動送風機の小型化が困難であるという課題を有していた。また、底面傾斜部４３、４４を板状とすることで、底面傾斜部４３、４４の厚み部分のデッドスペースを流路として活用しようとすると、組立性の問題が生じたり、底面傾斜部４３と４４との間に隙間ができた場合に、底面傾斜部４３、４４をはさんだ隣り合う流路間で空気が流入出することにより、流れが乱れて送風性能を低下させてしまうという課題を有していた。
【００１１】
本発明は、前記従来の課題を解決するもので、エアガイドの上面流路から下面流路へ空気が流れる際の曲がり損失などを低減させることで送風効率を向上させた電動送風機及びそれを用いた電気掃除機を提供することを目的とする。
【課題を解決するための手段】
【００１２】
前記従来の課題を解決するために、本発明の電動送風機及びそれを用いた電気掃除機は、エアガイドが、略円盤状の土台部と、土台部を挟んで構成される複数の上面翼および複数の下面翼と、土台部の外周位置に上面翼と下面翼を繋ぐ外周翼とを有し、上面翼と下面翼と外周翼は略均一厚みの板状とし、隣り合う前記外周翼の一部が、インペラの回転軸方向から見た投影面上で重なる構成としたものである。
【００１３】
これによって、エアガイドの上面流路から下面流路に空気が流れる際、エアガイド外周部で流路の方向が急激に変わることがないため、空気がスムーズに流れ、曲がり損失を低減させることができるので、送風効率を向上させることができる。
【００１４】
また、上面翼、下面翼、外周翼をそれぞれ板状としているため、デッドスペースとなる部分を少なくすることができるので、エアガイドの外径を小さくしても十分に流路面積や流路長を確保することが可能であり、電動送風機の小型化を図ることができる。また、厚みを略均一にしているため、樹脂成型を行う際にヒケが生じることを防ぐことができる。
【００１５】
さらに、上面翼と下面翼およびそれらを繋ぐ外周翼を同数とした場合、各流路を略独立した流路とすることが可能となるため、流路が途切れることによる拡大損失を生じさせずに、上面流路だけでなく外周部や下面流路も、空気の流速を徐々に減速して静圧に変換するディフューザとして利用することができる。
【００１６】
また、このエアガイドを樹脂成型する際に、エアガイドの静翼、土台部上面側および土台部外周端と外周翼下部側をスムーズに繋ぐ繋ぎ部を上方スライド金型により成型し、上方スライド金型と側方スライド金型とのパーティングラインを繋ぎ部下流の外周翼下部側
に設ける場合、通過流速が早いため動圧を静圧に変換するのに重要な上面流路、および流路が曲がる際の損失に影響の大きい繋ぎ部を、段差なく滑らかに成型することが可能となり、送風性能が向上する。
【００１７】
さらに、外周翼下部側に設けたパーティングラインで段差が生じたとしても、この段差によって生じる小さな乱流によって、流路が曲がることによって繋ぎ部で生じる剥離領域を小さくすることができるので、送風性能を向上させることができる。
【００１８】
そして、この電動送風機を用いた電気掃除機は、送風効率が高く、吸引力が強い、きわめて実用的なものである。
【発明の効果】
【００１９】
本発明の電動送風機およびそれを用いた電気掃除機は、エアガイドが、略円盤状の土台部と、土台部を挟んで構成される複数の上面翼および複数の下面翼と、土台部の外周位置に上面翼と下面翼を繋ぐ外周翼とを有し、上面翼と下面翼と外周翼は略均一厚みの板状とし、隣り合う前記外周翼の一部が、前記インペラの回転軸方向から見た投影面上で重なる構成とすることにより、上面流路から下面流路へ空気が流れるエアガイド外周部での空気の流れをスムーズにすることで、エアガイド外周部での曲がり損失を低減させ、電動送風機の送風効率を向上させることができる。
【図面の簡単な説明】
【００２０】
【図１】本発明の実施の形態１における電動送風機の正面図
【図２】同電動送風機のエアガイドの斜視図
【図３】同電動送風機のエアガイドの正面図
【図４】同電動送風機の金型構成を示す断面図
【図５】どう電動送風機の側方スライド金型の抜き方向を示す平面図
【図６】同電動送風機の別形態の側方スライド金型の抜き方向を示す平面図
【図７】（ａ）〜（ｅ）同電動送風機のエアガイド外周部の流れを示す構成図
【図８】本発明の実施の形態２における電気掃除機の全体構成図
【図９】（ａ）従来の電動送風機の正面図、（ｂ）同電動送風機のエアガイドの平面図、（ｃ）同電動送風機のエアガイドの下面図
【図１０】同電動送風機の別形態の斜視図
【図１１】（ａ）同電動送風機の別形態の正面図、（ｂ）同電動送風機のエアガイドの平面図
【図１２】同電動送風機の別形態の斜視図
【図１３】従来の電動送風機のエアガイド外周部の流れを示す構成図
【発明を実施するための形態】
【００２１】
第１の発明は、ローター部とステータ部とそれらを覆うブラケットによって構成される電動機と、前記電動機により回転駆動されるインペラと、このインペラの周囲に、複数の流路を構成するエアガイドと、中央に吸気口を有し、前記インペラ及び前記エアガイドを内包するファンケースとを有し、前記吸気口から流入した空気の少なくとも一部を前記電動機の前記ブラケット内に供給することにより、前記ローター部と前記ステータ部の冷却を行う構成において、前記エアガイドは、略円盤状の土台部と、前記土台部を挟んで構成される複数の上面翼および複数の下面翼と、前記土台部の外周位置に前記上面翼と前記下面翼を繋ぐ外周翼を有し、前記上面翼と前記下面翼と前記外周翼は略均一厚みの板状とし、隣り合う前記外周翼の一部が、前記インペラの回転軸方向から見た投影面上で重なる構成としたことにより、エアガイドの上面流路から下面流路に空気が流れる際、エアガイド外周部で流路の方向が急激に変わることがないため、空気がスムーズに流れ、曲がり損失を低減させることができるので、送風効率を向上させることができる。
また、上面翼、下面翼、外周翼をそれぞれ板状としているため、デッドスペースとなる部分を少なくすることができるので、エアガイドを小さくしても十分に流路面積や流路長を確保することが可能であるので、電動送風機の小型化を図ることができる。また、厚みを略均一にしているため、樹脂成型を行う際にヒケが生じることを防ぐことができる。
【００２２】
第２の発明は、特に、第１の発明において、エアガイドに設けられた上面翼と下面翼と外周翼の数を同数としたことにより、上面翼と下面翼およびそれらを繋ぐ外周翼を同数とした場合、各流路を略独立した流路とすることが可能となるため、流路が途切れることによる拡大損失を生じさせずに、上面流路だけでなく外周部や下面流路も、空気の流速を徐々に減速して静圧に変換するディフューザとして利用することができる。
【００２３】
第３の発明は、特に、第２の発明において、外周翼の下部側とエアガイドの土台部外周端とをスムーズに繋ぐ繋ぎ部を有し、前記外周翼の上部側は上面翼に対して径方向にねじれる角度を有して前記上面翼と接続することにより、エアガイド外周位置において、上面流路から下面流路にスムーズに風が導かれるため、曲がり損失が低減させることができる。
【００２４】
第４の発明は、特に、第３の発明において、前記外周翼は、前記エアガイド外周方向へ略放射状にスライドする外周翼と同数または外周翼より少ない数の側方スライド金型によって成型加工が可能な形状とし、前記エアガイドは、インペラ回転軸方向にスライドする上方スライド金型および下方スライド金型と前記インペラの略径方向にスライドする複数の側方スライド金型によって成型される構成において、前記エアガイドの前記土台部と前記繋ぎ部は、前記上方スライド金型によって成型され、前記上方スライド金型と前記側方スライド金型とのパーティングラインは、前記繋ぎ部下流の前記外周翼下部側に設けたことにより、一つの部品でエアガイドを構成することが可能であるため、複数のパーツで構成する場合と比較し、組立てが容易であるだけでなく、複数のパーツを組み合わせた際に生じるパーツ間の隙間によって空気の流れが乱され、送風性能を低下させることがない。また、上方スライド金型または下方スライド金型の少なくとも一方を螺旋状に捻りながら金型を抜く捻り抜き金型や、上下方向のスライド金型で一旦成型した後に後加工で形状を変化させる場合と比較して成型が容易であり、また、外周翼などの翼の厚みを薄くした成型が可能となるため、デッドスペースを削減できるので、小型化を図ることもできる。そして、通過流速が早いため動圧を静圧に変換するのに重要な上面流路、および流路が曲がる際の損失に影響の大きい繋ぎ部を、段差なく滑らかに成型することが可能となり、送風性能が向上する。さらに、外周翼下部側に設けたパーティングラインで段差が生じたとしても、この段差によって生じる小さな乱流によって、流路が曲がることによって繋ぎ部で生じる剥離領域を小さくすることができるので、送風性能を向上させることができる。
【００２５】
第５の発明は、特に、第４の発明において、外周翼の下部側面を成型する側方スライド金型面の表面粗さを他の面を成型する側方スライド金型面より粗くしたことにより、外周翼下側の面に外周翼の流路を横切る微小な凹凸ができるので、微小な乱流を生じさせることができる。これによって、繋ぎ部近傍で流路が曲がることによって剥離領域が生じたとしても、この微小な乱流によって剥離領域を減らすことができるので、曲がり損失を低減させ、送風効率を高めることができる。
【００２６】
第６の発明は、特に、第１〜第５のいずれか１つの発明における電動送風機を有する電気掃除機とすることにより、送風効率が高く、吸引力が強い、集塵性能を高めた電気掃除機を得ることができる。
【００２７】
以下、本発明の実施の形態について、図面を参照しながら説明する。なお、この実施の形態によって本発明が限定されるものではない。
【００２８】
（実施の形態１）
図１から図７は、本発明の実施の形態１における電動送風機を示すものである。
【００２９】
図１に示すように、本実施の形態における電動送風機５１には、電動機５２が配置されている。電動機５２は、ブラシモータと呼ばれるタイプのモータであり、ローター部５３とステータ部５４と、それらを覆うブラケット５５とブラシ部５６からなり、ブラシ部５６は、ローター部５３やステータ部５４より下方側に設けられている。ローター部５３には、回転軸５７と、整流子部５８と、コイル部５９ａ、５９ｂが設けられ、ステータ部５４も、コイル部６１ａ、６１ｂが設けられている。そして、回転軸５７によって、インペラ６２が接続されている。
【００３０】
インペラ６２の周囲には、図２に示すような、エアガイド６３が配置されている。エアガイド６３には、土台部６４と、土台部６４の上面側に１６枚からなる上面翼６５と、土台部６４の下面側に１６枚からなる下面翼６６と、上面翼６５と下面翼６６を繋ぐ１６枚からなる外周翼６７が設けられ、外周翼６７の下部側６８と土台部６４の外周端６９との繋ぎ部７０は、大きなフィレットによって滑らかに構成されている。そして、図３の重なりｆで示すように、隣り合う外周翼６７の一部が回転軸５７方向から見た投影面上で重なる構成としている。
【００３１】
そして、ファンケース７１によってインペラ６２とエアガイド６３が内包されており、ファンケーススペーサ７２がファンケース７１と一体的に成型されている。ファンケーススペーサ７２は、吸気口７３でインペラ６２と当接シールされ、インペラ６２から流出された空気が再び吸気口７３からインペラ６２に流入しない構成としている。なお、本実施の形態では、ファンケーススペーサ７２をファンケース７１と一体的に成型する構成としているが、ファンケーススペーサ７２とファンケース７１との間に空気の漏れる隙間が生じない構成であれば、両者を溶着または接着などで一体的に構成しても良い。
【００３２】
ここで、エアガイド６３の上面翼６５と下面翼６６と外周翼６７を同数とし、エアガイド６３の土台部６４、上面翼６５、下面翼６６、外周翼６７および、ファンケース７１、ブラケット５５で囲われた上面流路７４、下面流路７５、そして上面流路７４と下面流路７５を繋ぐ連通路７６は、組立のためのクリアランス部分を除いて隣り合う流路が連通していない略独立の流路となっているので、隣り合う流路間での空気の出入りがほとんど生じないため、上面流路７４だけでなく、下面流路７５や連通路７６も、空気の流速を徐々に減速して静圧に変換するディフューザとして利用することができる。ここで、組立のためのクリアランスは、下面流路７５や連通路７６に設けることが望ましい。これは、上面流路７４にクリアランスを設けた場合、上面流路７４内を流れる空気の流速が速く、クリアランスがあることによる漏れ損失が大きくなるためである。
【００３３】
また、上面翼６５、下面翼６６、外周翼６７をそれぞれ板状としているため、外周翼６７を肉厚になるよう構成した場合と比較して、デッドスペースとなる部分を少なくすることができるので、エアガイド６３を径方向に小さくしても十分に流路面積や流路長を確保することが可能であるので、電動送風機５１の小型化を図ることができる。
【００３４】
このエアガイド６３は、図４、図５に示すように、上方スライド金型７７と下方スライド金型７８と、外周翼６７と同数の側方スライド金型７９によって、スライド方向Ｇ、Ｈ、Ｉの方向にそれぞれの金型をスライドすることによって成型される。ここで、図４はエアガイド６３と各種スライド金型７７、７８、７９の断面図であり、図５は側方スライド金型７９のスライド方向を示す平面図である。
【００３５】
図５において、網掛けＪで示した部分は、側方スライド金型７９によって成型される面である。このように、パーティングライン８０を外周翼下部側６８に設けることで、通過流速が早いため動圧を静圧に変換するのに重要な上面流路７４、および流路が曲がる際の損失に影響の大きい繋ぎ部７０を、上方スライド金型７７によって一体的に成型することができるので、段差なく滑らかに成型することが可能となり、送風性能が向上する。
【００３６】
また、複数種類のスライド金型により、エアガイド６３を一つの部品として成型する構成としているため、複数のパーツでエアガイドを構成する場合と比較し、組立てが容易であるだけでなく、複数のパーツを組み合わせた際に生じるパーツ間の隙間によって空気の流れが乱され、送風性能を低下させることがない。また、上方スライド金型７７または下方スライド金型７８の少なくとも一方を螺旋状に捻りながら金型を抜く捻り抜き金型や、上下方向のスライド金型で一旦成型した後に後加工で形状を変化させる場合と比較して成型が容易であり、また、外周翼６７などの翼の厚みを薄くした成型が可能となるため、デッドスペースを削減できるので、電動送風機５１の小型化を図ることができる。
【００３７】
また、上面翼６５、下面翼６６、外周翼６７の厚みを略均一にすることで、ヒケが生じることを防ぐことができる。ここで、図６に示すように、８つの側方スライド金型７９によって、外周翼６７を２枚１組で成型しても良い。この場合、側方スライド金型７９の数を減らすことができるので、成型コスト削減や、成型設備の単純化を図ることができる。
【００３８】
そして、図１に示すように、ファンケース７１の外周には、複数の排気口８１が設けられており、インペラ６２からエアガイド６３の上面流路７４および連通路７６に流入した空気の一部が、空気の流れＪで示すようにこの排気口８１を通って外部に排気される構成となっている。そして、残りの空気が空気の流れＫで示すように下面翼６６およびブラケット５５に開けられた通気口８２を通ってブラケット５５内部に流れ込み、ローター部５３とステータ部５４およびブラシ部５６を冷却する構成となっている。
【００３９】
以上のように構成された電動送風機について、以下その動作、作用を説明する。
【００４０】
まず、電動送風機５１を起動すると、電動機５２のローター部５３が回転し、それに伴って回転軸５７とインペラ６２が回転し、その結果、吸気口７３から空気が吸い込まれる。そして、インペラ６２によって吸気口７３から吸い込まれた空気は、エアガイド６３内の上面流路７４に流れ込む。
【００４１】
ここで、上面翼６５を、上面流路７４の流路断面積が下流に行くに従って徐々に広くなるように設けることで、流路断面積が急激に大きくなることによって生じる拡大損失を抑えながら、動圧を静圧に変換する圧力回復を行い、送風効率を高める構成となっている。
【００４２】
そして、エアガイド６３の外周に達した空気は、図１の空気の流れＪ、Ｋで示すように、外周翼６７によって設けられた連通路７６を通って、一部の空気は排気口８１からファンケース７１外部に排気され、残りの空気は下面翼６６によって形成される下面流路７５へ流れ込む。
【００４３】
ここで、図７（ａ）に示すように、傾斜角Ｌが大きいと、上面流路７４から連通路７６へ空気が流れる際の流路が大きく曲がってしまうため、大きな剥離領域８３が生じ、エネルギーロスによって送風効率が低下してしまう。しかし、本実施の形態では、外周翼６７の一部が、図３で示したように、回転軸５７方向から見た投影面上で重なり合う部分ｆがあるように構成しているので、図７（ｂ）に示すように、傾斜角Ｌを小さくすることが可能である。そのため、上面流路７４から連通路７６へ空気が流れる際の曲がり損失を低減させることで、送風効率を高めることができる。
【００４４】
また、外周翼上部側８４が図２に示すように径方向にねじられていることにより、上面通路７４から連通路７６を通って下面流路７５にスムーズに風を導く構成となっている。すなわち、外周翼上部側８４が回転軸５７方向に垂直に伸びている場合、図７（ｃ）の空気の流れｍで示すような、空気が外周翼上部側８４に衝突することによるエネルギー損失が生じるが、本実施の形態では図７（ｂ）のように空気がスムーズに流れることで送風効率を向上させている。
【００４５】
また、もし、成型時にパーティングライン８０に段差が生じたとしても、図７（ｄ）に示すように、パーティングライン８０の段差によって微小な乱流が生じることで、繋ぎ部７０で流路が曲がることによって生じる剥離領域８３を小さくすることができるので、送風効率が高まる。また、この剥離領域低減効果を確実に得るためには、外周翼下部側６８の面を成型する側方スライド金型７９の表面粗さを、他の面より粗くすれば良い。このことにより、図７（ｅ）に示すように、外周部下部側６８の面に連通路７６を横切る形で微小な凹凸が形成され、微小な乱流を生じさせることができるので、効果的に剥離領域８３を低減させ、送風効率を高めることができる。
【００４６】
そして、下面流路７５に入った空気は、通気口８２を通ってブラケット５５内に流れ込み、ローター部５３とステータ部５４およびブラシ部５６が冷却される。
【００４７】
以上のように、本実施の形態では、エアガイド６３が、略円盤状の土台部６４と、土台部６４を挟んで構成される複数の上面翼６５および複数の下面翼６６と、土台部６４の外周位置に上面翼６５と下面翼６６を繋ぐ外周翼６７とを有し、上面翼６５と下面翼６６と外周翼６７は略均一厚みの板状とし、隣り合う前記外周翼６７の一部が、回転軸５７方向から見た投影面上で重なる構成としたことにより、上面流路７４から下面流路７５へスムーズに空気を流すことが可能となるため、曲がり損失を低減させ、送風効率を向上させることができる。
【００４８】
（実施の形態２）
図８は、本発明の実施の形態２における電気掃除機を示すものである。
【００４９】
図８において、電気掃除機１０１は、ホース１０２、延長管１０３及び床面上を移動して塵埃を吸引する吸引具１０４を有しており、掃除機本体１０５には、実施の形態１に示したエアガイド（図示せず）などを有する電動送風機５１が内蔵されている。
【００５０】
以上のように構成された電気掃除機について、以下その動作、作用を説明する。
【００５１】
まず、電気掃除機１０１を起動すると電動送風機５１が送風を行う。電動送風機５１は、内部に実施の形態１に示したエアガイド（図示せず）などが設けられているため、高い送風効率で動作する。したがって電気掃除機全体としても高い送風効率で動作でき、強い吸引力を得ることができ、きわめて実用的なものである。
【産業上の利用可能性】
【００５２】
以上のように、本発明にかかる電動送風機及びそれを用いた電気掃除機は、エアガイドの上面流路から下面流路へ空気が流れる際の曲がり損失などを低減させることで送風効率を向上させることができるので、家庭用はもちろんのこと業務用の機器にも適用可能である。
【符号の説明】
【００５３】
５１  電動送風機
５２  電動機
５３  ローター部
５４  ステータ部
５５  ブラケット
６２  インペラ
６３  エアガイド
６４  土台部
６５  上面翼
６６  下面翼
６７  外周翼
６８  外周翼下部側
６９  土台部外周端
７０  繋ぎ部
７１  ファンケース
７３  吸気口
７７  上方スライド金型
７８  下方スライド金型
７９  側方スライド金型
８０  パーティングライン
８４  外周翼上部側
１０１  電気掃除機
【図１】
2010255451.tif 000003
【図２】
2010255451.tif 000004
【図３】
2010255451.tif 000005
【図４】
2010255451.tif 000006
【図５】
2010255451.tif 000007
【図６】
2010255451.tif 000008
【図７】
2010255451.tif 000009
【図８】
2010255451.tif 000010
【図９】
2010255451.tif 000011
【図１０】
2010255451.tif 000012
【図１１】
2010255451.tif 000013
【図１２】
2010255451.tif 000014
【図１３】
2010255451.tif 000015